(57)【特許請求の範囲】
【請求項１】
水面上に配置した、転写層を有する転写フィルムに、無端状のベルトを、円形状に保持しつつ、前記無端状のベルトの一方の側面全体が前記転写フィルムに接するように押し入れ、水圧の力を利用して前記無端状のベルトの外周面及び内周面の少なくとも一方に前記転写フィルムの前記転写層を転写する工程を含み、
前記無端状のベルトは、伝動ベルト又は搬送ベルトである、
ことを特徴とするベルトの製造方法。
【請求項２】
前記転写層を転写させる前記無端状のベルトの外周面及び内周面の少なくとも一方にプライマーを塗布し、その後、乾燥させるプライマー工程と、
水面上に前記転写層を有する前記転写フィルムを配置する転写フィルム配置工程と、
前記水面上に配置した、前記転写層を有する前記転写フィルムに、前記無端状のベルトを、円形状に保持しつつ、前記無端状のベルトの一方の側面全体が前記転写フィルムに接するように押し入れ、浸漬させて前記転写フィルムの前記転写層を前記無端状のベルトの外周面及び内周面の少なくとも一方に吸着させる転写工程と、
前記転写フィルムの前記転写層を吸着させた前記無端状のベルトを前記水面から取り出し、取り出した前記無端状のベルトを洗浄し、その後乾燥させる乾燥工程と、を含むことを特徴とする請求項１に記載のベルトの製造方法。
【請求項３】
前記無端状のベルトにおいて、前記転写層を転写させない部分に離型剤を塗布する離型剤塗布工程を更に含むことを特徴とする請求項２に記載のベルトの製造方法。
【請求項４】
前記無端状のベルトの内周面又は外周面に、前記無端状のベルトの内周面又は外周面を覆う治具を配置する治具配置工程を更に含むことを特徴とする請求項２に記載のベルトの製造方法。
【請求項５】
前記治具は、円柱形状をしており、複数の輪状の前記無端状のベルトを、前記無端状のベルトの内周面又は外周面が前記円柱形状の治具の側面に密着するように巻き掛けることを特徴とする請求項４に記載のベルトの製造方法。
【請求項６】
前記乾燥工程において、前記無端状のベルトの外周面及び内周面の少なくとも一方に転写された前記転写層を保護するコーティング剤を塗布することを特徴とする請求項２〜４の何れかに記載のベルトの製造方法。
【請求項７】
前記ベルトは、当該ベルトの外周面及び内周面の少なくとも一方に突起が形成されていることを特徴とする請求項１〜６の何れかに記載のベルトの製造方法。
【発明の詳細な説明】
【技術分野】
【０００１】
本発明は、ベルトに転写層を転写する工程を含むベルトの製造方法及びベルトに関する。
【背景技術】
【０００２】
従来、伝動ベルト、搬送ベルトなどのベルトは、商品を管理するために、商品名、ロット番号、製造年月日等のマークをベルトの背面（外周面）に付与している。このように、ベルトの背面にマークを付与する方法としては、熱転写法（特許文献１参照）や、インクジェット法（特許文献２参照）などがある。
【０００３】
ところで、最近、上述したようにベルトの背面の一部分に商品名、ロット番号、製造年月日等のマークを印刷するだけではなく、意匠性（外観上のデザイン）向上を目的として、ベルトの背面全体などに絵柄（マーク）を印刷したいという要望がある。
【先行技術文献】
【特許文献】
【０００４】
【特許文献１】特開平５−４２７５４号公報
【特許文献２】特開平７−２３８９９２号公報
【特許文献３】特公平７−３７１９６号公報
【特許文献４】特開２００５−２１２１８６号公報
【特許文献５】特開２００６−２９７６７８号公報
【特許文献６】特開２００７−２７６３９１号公報
【発明の概要】
【発明が解決しようとする課題】
【０００５】
上記要望を実現するために、熱転写法によって、ベルトの背面全体に絵柄を印刷しようとすると、特許文献１の図２に示すように、転写マーク材を複数回ベルト背面に加熱加圧し転写するため作業効率が悪く、また転写マーク材の継ぎ目が複数個所発生してしまうため外観上優れないといった問題点がある。
【０００６】
また、インクジェット法によって、ベルトの背面全体に絵柄を印刷しようとすると、特許文献２の図３に示すように、ベルトまたはインクノズルの位置を変えながら印刷するため、印刷ムラや継ぎ目が生じやすい。また、多色を印刷することが難しいので、印刷する絵柄の意匠性に欠けてしまう。
【０００７】
そこで、印刷ムラや継ぎ目を生じさせないように、特許文献３〜特許文献６に記載された水圧転写法を用いて、ベルトの背面全体に絵柄（マーク）を印刷することが考えられる。この水圧転写法は、絵柄（マーク）を印刷したフィルムを水に浮かべ、フィルム上に被転写物を置いて沈めることにより、フィルムを水圧により被転写物に吸着させて、絵柄（マーク）を被転写物に転写させる手法である。
【０００８】
更に、無端状のベルトの背面に水圧転写法を用いて、絵柄（マーク）を転写（印刷）する場合には、無端状ベルトが、曲面形状を有する輪状のベルトであることから、無端状ベルトの背面に絵柄を、よりムラなく転写する必要がある。
【０００９】
そこで、本発明は、ベルトに転写層（絵柄）を継ぎ目が無く良好な外観で、ムラなく転写することができるベルトの製造方法及びベルトを提供することを目的とする。
【課題を解決するための手段】
【００１０】
本発明の一つは、水面上に配置した、転写層を有する転写フィルムに、ベルトを押し入れ、水圧の力を利用して前記ベルトに前記転写フィルムの前記転写層を転写する工程を含むことを特徴とするベルトの製造方法である。
【００１１】
上記方法によれば、水圧により転写フィルムの転写層をベルトに転写させることができる。これによれば、従来の熱転写法や、インクジェット法に比べて、印刷ムラや継ぎ目を生じさせないようにすることができる。
【００１２】
また、本発明の一つは、水面上に配置した、転写層を有する転写フィルムに、無端状のベルトを、円形状に保持しつつ、無端状のベルトの一方の側面全体が前記転写フィルムに接するように押し入れ、水圧の力を利用して前記無端状のベルトの外周面及び内周面の少なくとも一方に前記転写フィルムの前記転写層を転写する工程を含むことを特徴とするベルトの製造方法である。
【００１３】
上記方法によれば、無端状のベルト、即ち、曲面形状を有する輪状のベルトを、円形状に保ちながら、無端状のベルトの一方の側面全体が転写フィルムに接するように押し入れて、無端状のベルトの外周面や内周面に水圧をかけることにより、無端状のベルトの外周面や内周面に転写層を継ぎ目が無く、良好な外観で転写することができる。より詳しくは、無端状のベルトを円形状に保持することにより、無端状のベルトの外周面や内周面に対して均一な曲率を与えることができ、無端状のベルトの外周面や内周面に転写フィルムの転写層を転写する際のムラを防止することができる。また、無端状のベルトの一方の側面全体が転写フィルムに接するように押し入れることにより、無端状のベルトの外周面や内周面に均一な水圧をかけることができ、無端状のベルトの外周面や内周面に転写層を転写する際のムラを防止することができる。
【００１４】
また、本発明の一つは、前記転写層を転写させる前記無端状のベルトの外周面及び内周面の少なくとも一方にプライマーを塗布し、その後、乾燥させるプライマー工程と、
水面上に前記転写層を有する前記転写フィルムを配置する転写フィルム配置工程と、
前記水面上に配置した、前記転写層を有する前記転写フィルムに、前記無端状のベルトを、円形状に保持しつつ、無端状のベルトの一方の側面全体が前記転写フィルムに接するように押し入れ、浸漬させて前記転写フィルムの前記転写層を前記無端状のベルトの外周面及び内周面の少なくとも一方に吸着させる転写工程と、
前記転写フィルムの前記転写層を吸着させた前記無端状のベルトを前記水面から取り出し、取り出した前記無端状のベルトを洗浄し、その後乾燥させる乾燥工程と、を含むことを特徴とする上記に記載のベルトの製造方法である。
【００１５】
上記方法によれば、プライマー工程により、無端状のベルトの外周面や内周面に対する転写層の附着性を向上させることができる。また、転写フィルム配置工程、及び、転写工程を経ることにより、曲面形状を有する輪状の無端状のベルトに対して、均一な水圧をかけることにより転写層を継ぎ目が無く、良好な外観で転写することができる。また、乾燥工程を経ることにより、無端状のベルトの外周面や内周面に対する転写層の密着度を高めることができる。
【００１６】
また、本発明の一つは、前記無端状のベルトにおいて、前記転写層を転写させない部分に離型剤を塗布する離型剤塗布工程を更に含むことを特徴とするベルトの製造方法である。
【００１７】
上記方法によれば、無端状のベルトにおいて、転写層を転写させたくない部分に離型剤を塗布することにより、転写層を転写させたい部分にのみ転写層を転写させることができる。
【００１８】
また、本発明の一つは、前記無端状のベルトの内周面又は外周面に、前記無端状のベルトの内周面又は外周面を覆う治具を配置する治具配置工程を更に含むことを特徴とするベルトの製造方法である。
【００１９】
上記方法によれば、無端状のベルトに、無端状のベルトの内周面又は外周面を覆う治具を配置することにより、無端状のベルトの内周面又は外周面には転写層を転写させず、無端状のベルトの内周面以外又は外周面以外の部分にのみ転写層を転写させることができる。
【００２０】
また、本発明の一つは、前記治具が、円柱形状をしており、複数の輪状の前記無端状のベルトを、前記無端状のベルトの内周面又は外周面が前記円柱形状の治具の側面に密着するように巻き掛けることを特徴とするベルトの製造方法である。
【００２１】
上記方法によれば、円柱形状をした治具に複数の無端状のベルトを巻き掛けることにより、複数の無端状のベルトを、円形状に保持し易くすることができる。また、円柱形状をした治具に複数の無端状のベルトを巻き掛けることにより、一回の転写工程で、複数の無端状のベルトの外周面又は内周面に転写層を吸着させることができる。
【００２２】
また、本発明の一つは、前記乾燥工程において、前記無端状のベルトの外周面及び内周面の少なくとも一方に転写された前記転写層を保護するコーティング剤を塗布することを特徴とするベルトの製造方法である。
【００２３】
上記方法によれば、コーティング剤によって、無端状のベルトの外周面や内周面に転写された転写層を保護することができる。
【００２４】
また、本発明の一つは、上記製造方法において、前記ベルトが、当該ベルトの外周面及び内周面の少なくとも一方に突起が形成されていることを特徴とする。
【００２５】
上記構成によれば、突起のような凹凸物に対しても、外観品質を保ちながらマークの印刷（転写）をすることができる。
【００２６】
また、本発明の一つは、上記に記載した製造方法によって製造されることを特徴とするベルトである。
【００２７】
上記構成によれば、従来の熱転写法や、インクジェット法に比べて、ムラがない絵柄・マークを有するベルトを提供することができる。
【００２８】
また、本発明の一つは、上記に記載した製造方法によって製造される無端状のベルトであって、前記無端状のベルトの外周面及び内周面の少なくとも一方に前記転写層が継ぎ目なく転写されたベルトである。
【００２９】
上記構成によれば、無端状のベルトの外周面や内周面に、ムラがなく、継ぎ目のない絵柄・マークを有するベルトを提供することができる。
【発明の効果】
【００３０】
ベルトに転写層（絵柄）を継ぎ目が無く良好な外観で、ムラなく転写することができるベルトの製造方法及びベルトを提供することができる。
【図面の簡単な説明】
【００３１】
【図１】本実施形態に係るベルトの製造方法（水圧転写）の第１説明図である。
【図２】本実施形態に係るベルトの製造方法（水圧転写）の第２説明図である。
【図３】本実施形態に係るベルトの製造方法（水圧転写）において使用する治具の説明図である。
【図４】本実施形態に係る背面突起付きの歯付ベルトの説明図である。
【図５】走行試験機のレイアウトの説明図である。
【発明を実施するための形態】
【００３２】
（実施形態）
以下、本発明の実施形態を図面に従って説明する。
【００３３】
（本実施形態に係るベルトの製造方法の概要）
本実施形態では、ベルトの製造工程において、図１及び図２に示すように、容器１０に張った水１１の水面上に浮かした、絵柄（転写層）が印刷された転写フィルム１２に、成型された無端状の歯付ベルト１を押し入れ、水圧の力を利用して歯付ベルト１に転写フィルム１２の絵柄を転写する工程（水圧転写）について説明する。
【００３４】
（歯付ベルト１）
歯付ベルト１は、転写フィルム１２の絵柄が転写される被転写物である。歯付ベルト１は、図１の（１）に示すように、無端状で、歯付ベルト１の内周面５に複数の凸状の歯部２が設けられており、歯付ベルト１の背面３（ベルトの外周面に相当）が、曲面形状をしている。この歯付ベルト１は、駆動プーリと従動プーリとの間に巻き掛けられて伝動用ベルト及び搬送用ベルトとして使用される。
【００３５】
なお、本実施形態では、歯付ベルトを使用しているが、ベルトの形状・種類は問わず、平ベルト、Ｖリブドベルト、コンベヤベルトなどでもよいし、ベルトは成型後に限らず、所望の幅に切断していない状態のベルトであってもよい。また、本実施形態では、無端状のベルトを使用しているが（エンドレスタイプ）、ベルトの両端があるオープンエンドタイプであってもよい。
【００３６】
また、歯付ベルトとしては、図４に示すように、背面１０３に複数の突起１０７が形成された背面突起付きの歯付ベルト１０１であってもよい。背面突起付きの歯付ベルト１０１の突起１０７の形状・個数は、搬送物の形状・搬送態様により様々に変更可能なものである。なお、ここでは、歯付ベルトに設けられた突起に関して、背面１０３に複数の突起１０７が形成された背面突起付きの歯付ベルト１０１を例に挙げたが、Ｖリブドベルト等の内周面に設けられたリブや歯付ベルトの歯部２も広義の突起として例に挙げることができる。
【００３７】
歯付ベルト１は、本実施形態では、主にウレタン樹脂組成物からなるものを使用している。ウレタン樹脂組成物は、液状のウレタン原料を注型、加熱することによって得られるが、一般に成形方法としては、ポリオール、触媒、鎖延長剤、顔料等を混合したプレミックス液と、イソシアネート成分を含有する溶液とを混合し、これを注型して硬化反応させるワンショット法と、予めイソシアネートとポリオールを反応させて、イソシアネートの一部をポリオールで変性したプレポリマーと硬化剤を混合して注型し、架橋反応させて成型している。なお、歯付きベルト１は、その組成材料として、ゴム、ウレタン、樹脂など特に限定されるものではない。また、歯付ベルト１の構成としても多層構造としてもよいし、背面３に心線を入れてもよいし、背面３が帆布で被覆されていても良い。
【００３８】
（転写フィルム）
転写フィルム１２は、歯付ベルト１に転写する転写層に相当する絵柄が印刷された転写物である。転写フィルム１２は、ポリビニルアルコール樹脂を主成分とするベースフィルムに所望の絵柄が印刷された薄膜状のフィルムである。転写フィルム１２は、水溶性又は水膨潤性のベースフィルムと、片側に印刷された絵柄を備えたものであれば良い。
【００３９】
ベースフィルムとしては、水溶性又は水膨潤性であればよく、上記ポリビニルアルコール樹脂、テキストリン，ゼラチン，にかわ，カゼイン，セラツク，アラビアゴム，でん粉，蛋白，ポリアクリル酸アミド，ポリアクリル酸ソーダ，ポリビニルメチルエーテル，メチルビニルエーテルと無水マレイン酸の共重合体、酢酸ビニルとイタコン酸の共重合体、ポリビニルピロリドン，あるいはセルロース，アセチルセルロース，アセチルブチルセルロース，カルボキシメチルセルロース，メチルセルロース，ヒドロキシエチルセルロースなどのセルロース誘導体、アルギン酸ソーダなどの単独または混合樹脂等の10〜100μｍ程度のものが挙げられる。
【００４０】
転写フィルム１２のベースフィルムに印刷される絵柄（転写層）は、印刷に使用されるインキ組成物からなり、それ自体は公知のものを利用できる。絵柄は、マーク・模様など様々なものを採用することができる。また、絵柄のベースフィルムへの印刷は、特に限定されるものではなく、グラビア印刷、グラビアオフセツト印刷、もしくはスクリーン印刷等が挙げられ、印刷する絵柄の形状、特性に合わせた印刷法を用いればよい。
【００４１】
（ベルトの製造方法：水圧転写）
次に、歯付ベルト１の製造方法に関して、成型後の歯付ベルト１の背面３に転写フィルム１２の絵柄を転写する工程（水圧転写）を中心に説明する。
【００４２】
（プライマー工程）
まず、図１の（１）に示すように、転写フィルム１２の絵柄を転写させたい場所、具体的には、歯付ベルト１の背面３に、プライマー塗料を塗布する。そして、プライマーを塗布した後、図１の（２）に示すように、歯付ベルト１を加熱乾燥炉２０に入れて、６０〜７０℃の室温で１時間乾燥させる。
【００４３】
（離型剤塗布工程）
次に、図１の（３）に示すように、転写フィルム１２の絵柄を転写させたくない場所、具体的には、歯付ベルト１の両側面４及び歯付ベルト１の歯部２が設けられた内周面５に、離型剤を塗布する。
【００４４】
（転写フィルム配置工程）
一方で、図１の（４）に示すように、容器１０に水１１を張る。なお、水１１には、転写フィルム１２のベースフィルムの水１１に対する溶解を促進させるアミラーゼ等を添加してもよい。
【００４５】
次に、図１の（５）に示すように、容器１０に張った水１１の水面上に転写フィルム１２を浮かべる。
【００４６】
（転写工程）
次に、図１の（６）に示すように、水面上に浮かべた転写フィルム１２に、離型剤塗布工程を経た歯付ベルト１を、円形状に保持しつつ、歯付ベルト１の一方の側面全体が転写フィルム１２に接するように乗せる。そして、図２の（７）に示すように、水面上に浮かべた転写フィルム１２に歯付ベルト１を押し入れ、水中に沈め、歯付ベルト１を水１１に浸漬させて、水圧により転写フィルム１２の絵柄を歯付ベルト１の背面３に転写（吸着）させる。
【００４７】
なお、歯付ベルト１の転写フィルム１２に対する押し入れ方法としては、上記手順に限らず、転写したい部分が、転写フィルム１２に絡むように押し入れればよく、歯付ベルト１の背面３から押し入れても良い。また、上記工程では、成型後の歯付ベルト１について水圧転写を実施しているが、成型前の加硫前の段階で水圧転写を実施してもよい。
【００４８】
（乾燥工程）
次に、図２の（８）に示すように、転写フィルム１２の絵柄を転写させた歯付ベルト１を水中から取り出す。その後、歯付ベルト１への絵柄転写後に残るベースフィルム成分の残りを温水で洗い流し（洗浄）、歯付ベルト１の表面の水滴を拭き取る。歯付ベルト１の表面の水滴を拭き取った後、乾燥させ（加熱乾燥炉２０による乾燥、自然乾燥など）、図２の（９）に示すように、歯付ベルト１の背面３に転写された絵柄を保護するコーティング剤（例えば、アクリルウレタン系のトップコート塗料）を塗布する。
【００４９】
その後、図２の（１０）に示すように、歯付ベルト１を加熱乾燥炉２０に入れて、６０〜７０℃の室温で３時間乾燥させる。その後、図２の（１０）に示すように、加熱乾燥炉２０から歯付ベルト１を取り出し完成とする。
【００５０】
なお、上記説明では、歯付ベルト１の背面に転写フィルム１２の絵柄を転写しているが、転写する箇所は歯付ベルト１の側面でもよいし、歯付ベルト１の内周面５でもよい。
【００５１】
上記方法によれば、無端状の歯付ベルト１、即ち、曲面形状を有する輪状の歯付ベルト１を、円形状に保ちながら、歯付ベルト１の一方の側面全体が転写フィルム１２に接するように押し入れて、歯付ベルト１の背面３に水圧をかけることにより、歯付ベルト１の背面３に転写フィルム１２の絵柄を継ぎ目が無く、良好な外観で転写することができる。より詳しくは、歯付ベルト１を円形状に保持することにより、歯付ベルト１の背面３に対して均一な曲率を与えることができ、歯付ベルト１の背面３に転写フィルム１２の絵柄を転写する際のムラを防止することができる。また、歯付ベルト１の一方の側面全体が転写フィルム１２に接するように押し入れることにより、歯付ベルト１の背面３に均一な水圧をかけることができ、歯付ベルト１の背面３に転写フィルム１２の絵柄を転写する際のムラを防止することができる。
【００５２】
また、上記方法によれば、プライマー工程により、歯付ベルト１の背面３に対する転写フィルム１２の絵柄の附着性を向上させることができる。また、転写フィルム配置工程、及び、転写工程を経ることにより、曲面形状を有する輪状の歯付ベルト１に対して、均一な水圧をかけることにより転写フィルム１２を継ぎ目が無く、良好な外観で転写することができる。また、乾燥工程を経ることにより、歯付ベルト１の背面３に対する転写フィルム１２の絵柄の密着度を高めることができる。
【００５３】
また、上記方法によれば、歯付ベルト１において、転写フィルム１２の絵柄を転写させたくない部分（歯付ベルト１の側面、内周面５、歯部２）に離型剤を塗布することにより（離型剤塗布工程）、転写フィルム１２の絵柄を転写させたい部分（背面３）にのみ転写フィルム１２の絵柄を転写させることができる。
【００５４】
また、上記方法によれば、コーティング剤によって、歯付ベルト１の背面３に転写された転写フィルム１２の絵柄を保護することができる。
【００５５】
また、上記製造方法によって製造された歯付ベルト１は、従来の熱転写法や、インクジェット法に比べて、ムラがない絵柄を有している。
【００５６】
また、上記製造方法によって製造される歯付ベルト１は、背面３に、ムラがなく、継ぎ目のない絵柄を有している。
【００５７】
（治具３０）
上記説明では、単体の歯付ベルト１を水面に浮かんだ転写フィルム１２に押し入れているが、図３に示す治具３０を用いて転写工程を行ってもよい。具体的には、治具３０は、円筒形状（円柱状）をしており、治具３０の一方端に治具３０の直径より大きいフランジ３１が設けられた形状をしている。また、本実施形態に係る治具３０の円筒部分の直径は、歯付ベルト１の内周面５の直径と同等、もしくは若干大きめの大きさであり、治具３０の高さは、歯付ベルト１の横幅の複数倍である（複数の歯付ベルト１を治具３０に巻き掛け可能）。なお、治具３０の高さは、少なくとも歯付ベルト１の横幅の２倍以上あればよい。
【００５８】
そして、使用方法としては、治具３０の側面（円筒部分）に、歯付ベルト１の内周面５が密着するように、複数の歯付ベルト１を巻き掛ける。この際、最初に巻き掛けた歯付ベルト１の一方の側面がフランジ３１に接した状態になる。その後、別の歯付ベルト１を治具３０に巻き掛けると、別の歯付ベルト１の一方の側面が、最初に巻き掛けた歯付ベルト１の他方の側面と接した状態になる。これを繰り返して、治具３０に複数の歯付ベルト１を巻き掛けたうえで、固定する。なお、歯付ベルト１の内周面５側に絵柄を転写させる場合には、治具３０の側面（円筒部分）に、歯付ベルト１の背面３が密着するように、複数の歯付ベルト１を巻き掛けることになる。
【００５９】
そして、転写工程において、水面上に浮かべた転写フィルム１２に、複数の歯付ベルト１を巻き掛けた治具３０を押し入れ、水中に沈め、水圧により転写フィルム１２の絵柄を治具３０に巻き掛けられた複数の歯付ベルト１の背面３に、一回の作業で転写させる。
【００６０】
上記治具３０を使用すれば、歯付ベルト１に、内周面５を覆う治具３０を配置することにより、歯付ベルト１の内周面５には転写フィルム１２の絵柄を転写させず、歯付ベルト１の内周面５以外の部分（背面３）にのみ転写フィルム１２の絵柄を転写させることができる。
【００６１】
また、円筒形状（円柱形状）をした治具３０に複数の歯付ベルト１を巻き掛けることにより、複数の歯付ベルト１を、円形状に保持し易くすることができる。また、治具３０に複数の歯付ベルト１を巻き掛けることにより、一回の転写工程で、複数の歯付ベルト１の背面３に転写フィルム１２の絵柄を転写（吸着）させることができる。
【００６２】
なお、上記製造方法は、歯付ベルト１の背面３に絵柄（マーク）を転写する場合に限らず、歯付ベルト１の内周面５に絵柄（マーク）を転写する場合にも採用できる。また、上記製造方法は、歯付ベルト１内周面５に配置された歯部２に絵柄（マーク）を転写する場合にも採用できる。また、上記製造方法は、図４に示す、歯付ベルト１０１の背面１０３に形成された複数の突起１０７に対して、絵柄（マーク）を転写する場合にも採用できる。
【実施例】
【００６３】
次に、表１に記載したように、歯付ベルトの背面に対するマーク（絵柄）の印刷（転写）を、上記実施形態に係る水圧転写を用いた場合（実施例１、実施例２、実施例３）と、熱転写（特許文献１参照）を用いた場合（比較例１、比較例３）と、インクジェット（特許文献２参照）を用いた場合（比較例２）についてそれぞれ行った。実施例１、比較例１、及び、比較例２で使用したベルトは、ポリウレタン製の歯付ベルト（150S8M1200）であり、ベルト幅１５ｍｍ、歯部のピッチ（間隔）は８ｍｍであり、ベルト周長が１２００ｍｍのものである。また、実施例２で使用したベルトは、ポリウレタン製の歯付ベルト（150S3M1440）であり、ベルト幅１５ｍｍ、歯部のピッチ（間隔）は３ｍｍであり、ベルト周長が１４４０ｍｍのものである。実施例３、及び、比較例３で使用したベルトは、図４に示すような背面に突起を設けたポリウレタン製の背面突起付きの歯付ベルト（400S14M952）であり、ベルト幅４０ｍｍ、歯部のピッチ（間隔）は１４ｍｍであり、ベルト周長が９５２ｍｍのものである。また、印刷作業回数は、歯付ベルトの背面全周に印刷するため、熱転写プレス又はインクジェット印刷作業を繰り返した回数を記載している。なお、実施例１、実施例２、実施例３に係る水圧転写は１回としている。
【００６４】
そして、実施例１〜３、及び、比較例１〜３のそれぞれの歯付ベルトについて、目視による外観品質の評価、走行試験、耐候性試験を行った。
【００６５】
目視による外観品質の評価では、各例の歯付ベルトの背面に対するマーク（絵柄）の印刷（転写）に関して、継ぎ目なく印刷されているか否かを、「○：継ぎ目がない」、「△：継ぎ目がある」、「×：印刷できなかった」の３段階に分けて目視により評価した。その結果を、表１に記載した。
【００６６】
外観品質の評価結果によると、印刷方法として、水圧転写を使用した方が、熱転写や、インクジェットに比べて、１回の作業回数によって、マーク（絵柄）の継ぎ目がなく歯付ベルトの背面全体への転写が可能であり、印刷ムラもなく外観品質に優れた歯付ベルトを製造することができることが分かった。
【００６７】
また、実施例３（水圧転写）の背面突起付きの歯付ベルトでは、突起にもマーク（絵柄）の印刷（転写）ができたが、比較例３（熱転写）の背面突起付きの歯付ベルトでは、突起にはマーク（絵柄）の印刷（転写）ができなかった。従って、熱転写を使用した場合よりも水圧転写を使用した方が、突起のような凹凸物に対して、外観品質を保ちながらマークの印刷（転写）をすることができることが分かった。
【００６８】
走行試験では、実施例１、比較例１、比較例２に関しては、図５のレイアウトで、S8M歯形24歯の駆動プーリ（Ｄｒ）と、S8M歯形24歯の従動プーリ（Ｄｎ）との間に各例の歯付ベルトを巻き掛けて走行試験を行なった。また、実施例２に関しては、図５のレイアウトで、S3M歯形14歯の駆動プーリ（Ｄｒ）と、S3M歯形14歯の従動プーリ（Ｄｎ）との間に歯付ベルトを巻き掛けて走行試験を行なった。また、実施例３に関しては、図５のレイアウトで、S14M歯形28歯の駆動プーリ（Ｄｒ）と、S3M歯形28歯の従動プーリ（Ｄｎ）との間に歯付ベルトを巻き掛けて走行試験を行なった。各駆動プーリの駆動回転数は１８００ｒｐｍとし、歯付ベルトに対する負荷は無負荷であり、走行時間は１００時間とした。そして、走行試験後の各例の歯付ベルトを観察して、マーク剥がれがあるか否かを判断した。その結果を、表１に記載した。
【００６９】
走行試験の結果によると、実施例１〜３に係る水圧転写により歯付ベルトにマークを印刷（転写）した場合（マーク剥がれなし）でも、比較例１の熱転写による印刷（マーク剥がれなし）、又は、比較例２のインクジェットによる印刷（マーク剥がれなし）と同等の耐久性を持っていることが分かった。
【００７０】
耐候性試験では、試験機キセノンウェザーメーターを使用して疑似的な太陽光を各例の歯付ベルトの照射し、その劣化を外観観察により異常があるか否かにより判断した。試験条件としては、照度：１８０Ｗ／ｍ２、温度：６３℃、照射時間：１００時間とした。その結果を、表１に記載した。
【００７１】
耐候性試験の結果によると、実施例１〜３に係る水圧転写により歯付ベルトにマークを印刷（転写）した場合（外観異常なし）でも、比較例１の熱転写による印刷（外観異常なし）、又は、比較例２のインクジェットによる印刷（外観異常なし）と同等の耐候性を持っていることが分かった。
【００７２】
【表１】
0006473053.tif 000002
【００７３】
上記表１の結果をまとめると、印刷方法として、水圧転写を使用した方が、熱転写や、インクジェットに比べて、１回の作業回数によって、マーク（絵柄）の継ぎ目がなく歯付ベルトの背面全体への転写が可能であり、印刷ムラもなく外観品質に優れた歯付ベルトを製造することができることが分かった。また、耐久性や耐候性についても、印刷方法として水圧転写を使用した場合でも、熱転写や、インクジェットを使用した場合と同等の性能を持っていることが分かった。
【００７４】
以上、本発明の実施形態について図面に基づいて説明したが、具体的な構成は、これらの実施形態及び実施例に限定されるものでないと考えられるべきである。また、本発明の範囲は、上記した実施形態及び実施例の説明だけではなく特許請求の範囲によって示され、さらに特許請求の範囲と均等の意味および範囲内でのすべての変更が含まれる。
【符号の説明】
【００７５】
１  歯付ベルト
２  歯部
３  背面
４  側面
５  内周面
１０  容器
１１  水
１２  転写フィルム
２０  加熱乾燥炉
３０  治具
３１  フランジ
【図１】
0006473053.tif 000003
【図２】
0006473053.tif 000004
【図３】
0006473053.tif 000005
【図４】
0006473053.tif 000006
【図５】
0006473053.tif 000007